(57)【要約】  【課題】  主電源用の電池によりバックアップ用の蓄電池を充電するための充電回路が不要となる電気機器を提供する。  【解決手段】  負荷、例えば撮像手段９に給電する給電部８、及びバックアップ用の蓄電池１を備える電気機器に、蓄電池１を充電する太陽電池４と、太陽電池４及び蓄電池１間を入／切するスイッチ３と、太陽電池４の出力電圧を検出し、検出した出力電圧に応じて、スイッチ３の入／切を制御する制御部７とを電気機器に備える。【選択図】        図１
2006114849.tif 000002
【特許請求の範囲】
【請求項１】
負荷に給電する給電手段とは異なる蓄電池を備える電気機器であって、
前記蓄電池を充電する太陽電池と、
該太陽電池及び前記蓄電池間を入／切するスイッチと、
前記太陽電池の出力電圧を検出する検出手段と、
該検出手段が検出した出力電圧に応じて、前記スイッチの入／切を制御する制御手段と
を備えることを特徴とする電気機器。
【請求項２】
前記制御手段は、
前記検出手段により検出した出力電圧が所定電圧以上の場合、前記スイッチを入にする手段を備える
ことを特徴とする請求項１に記載の電気機器。
【請求項３】
前記スイッチは常開型である
ことを特徴とする請求項１又は請求項２に記載の電気機器。
【請求項４】
前記蓄電池から給電されて動作する計時手段と、
該計時手段に、前記太陽電池又は前記蓄電池を選択的に接続する切換スイッチと、
前記スイッチが入の場合、前記計時手段及び前記太陽電池が接続され、前記スイッチが切の場合、前記計時手段及び前記蓄電池が接続されるように、前記切換スイッチを切り換える手段と
を備えることを特徴とする請求項１乃至請求項３のいずれか一つに記載の電気機器。
【請求項５】
前記蓄電池から給電されて動作する計時手段を備え、
前記制御手段は、
前記計時手段が計時した計時結果に応じて、前記スイッチの入／切を制御する手段を備える
ことを特徴とする請求項１乃至請求項３のいずれか一つに記載の電気機器。
【請求項６】
負荷に給電する給電手段とは異なる蓄電池と、該蓄電池から給電されて動作する計時手段とを備える電気機器であって、
前記蓄電池を充電する太陽電池と、
該太陽電池及び前記蓄電池間を入／切するスイッチと、
前記計時手段が計時した計時結果に応じて、前記スイッチの入／切を制御する手段と
を備えることを特徴とする電気機器。
【請求項７】
前記計時手段に、前記太陽電池又は前記蓄電池を選択的に接続する切換スイッチと、
前記スイッチが入の場合、前記計時手段及び前記太陽電池が接続され、前記スイッチが切の場合、前記計時手段及び前記蓄電池が接続されるように、前記切換スイッチを切り換える手段と
を備えることを特徴とする請求項６に記載の電気機器。
【請求項８】
前記負荷は撮像手段である
ことを特徴とする請求項１乃至請求項７のいずれか一つに記載の電気機器。
【発明の詳細な説明】
【技術分野】
【０００１】
本発明は、蓄電池及び太陽電池を備え、蓄電池が太陽電池により充電されるように構成された電気機器に関する。
【背景技術】
【０００２】
図６は、従来の撮像装置の回路構成を示すブロック図である。従来の撮像装置は、リチウムイオン蓄電池、ニッケル・カドミウム蓄電池等の蓄電池１を備えており、蓄電池１の陰極は接地され、蓄電池１の陽極は、計時部６の電源端子に接続されている。計時部６は、所定の周波数でパルスを発信する水晶発信部６ａを備えており、水晶発信部６ａから発信されたパルスに基づいて計時する。計時部６の計時結果は、例えば、撮像時刻を記録するために使用される。
【０００３】
また、蓄電池１の陽極には、逆流防止用のダイオード３０２が逆方向に接続されている。ダイオード３０２のアノードは、充電回路３１０に接続されており、充電回路３１０は、着脱自在に装着された電源用電池Ａの陽極に接続されている。充電回路３１０は、蓄電池１の充電を所定電圧、例えば４．２Ｖで行う回路であり、充電回路３１０による蓄電池１の充電は、マイクロコンピュータを用いてなる制御部３０７により制御される。
【０００４】
更に、蓄電池１の陽極には、電気抵抗Ｒ４及び電気抵抗Ｒ５が直列に接続しており、電気抵抗Ｒ５の一端は接地している。制御部３０７は、電気抵抗Ｒ４及び電気抵抗Ｒ５により分圧された電圧を検出し、検出した結果を用いることにより蓄電池１の残量を検出可能に構成されており、制御部３０７は、蓄電池１の電源用電池Ａの残量に応じて、蓄電池１を充電する。
【０００５】
制御部３０７は、撮像手段９の撮像を制御する。撮像手段９は、レンズ及びＣＣＤのような撮像素子を備えており、ＤＣ／ＤＣコンバータを備える給電部８を通じて電源用電池Ａにより給電されて動作する。
【０００６】
このように構成される撮像装置においては、計時部６に給電する電池を定期的に交換する必要がない。
【特許文献１】特開２００１−１７４８８８号公報
【発明の開示】
【発明が解決しようとする課題】
【０００７】
しかしながら、従来の撮像装置においては、電源用電池Ａにより蓄電池１を充電する充電回路３１０を必要とするため、回路構成が複雑であるという問題があった。
【０００８】
また、撮像手段９を動作させるための電源用電池Ａにより蓄電池１を充電するため、撮像手段９の動作時間が短くなるという問題があった。
【０００９】
上述の問題は、撮像装置以外の負荷を有する電気機器も同様に有している。
【００１０】
本発明は、斯かる事情に鑑みてなされたものであり、蓄電池を充電する太陽電池を備え、太陽電池の出力電圧に応じて蓄電池の充電を制御するように構成することにより、充電回路が不要となり、充電回路に比して、より簡単な構成で蓄電池を充電することができる電気機器を提供することを目的とする。
【００１１】
また、太陽電池の出力電圧を検出し、検出した出力電圧が所定電圧以上の場合、蓄電池を充電するように構成することにより、蓄電池が劣化する恐れのない電圧で蓄電池を充電することができる電気機器を提供することを他の目的とする。
【００１２】
更に、太陽電池及び蓄電池を入／切する常開型のスイッチを備えることにより、制御部の切換制御が停止した場合であっても、蓄電池の劣化を招く電圧で蓄電池が充電されることを防ぐことができる電気機器を提供することを他の目的とする。
【００１３】
更にまた、太陽電池により蓄電池を充電する場合、太陽電池から計時部に給電するように構成することにより、蓄電池の不要な充放電を抑え、蓄電池の劣化を防ぐことができる電気機器を提供することを他の目的とする。
【００１４】
更にまた、計時部が計時した計時結果及び太陽電池の出力電圧に応じて、太陽電池による蓄電池の充電を制御するように構成することにより、簡単な構成で、太陽電池による蓄電池の過充電を防ぎ、蓄電池の劣化を防ぐことができる電気機器を提供することを他の目的とする。
【００１５】
更にまた、計時部が計時した計時結果に応じて、太陽電池による蓄電池の充電を制御するように構成することにより、簡単な構成で、太陽電池による蓄電池の過充電を防ぎ、蓄電池の劣化を防ぐことができる電気機器を提供することを他の目的とする。
【００１６】
更にまた、太陽電池により蓄電池を充電する場合、太陽電池から計時部に給電するように構成することにより、蓄電池の不要な充放電を抑えることができる電気機器を提供することを他の目的とする。
【００１７】
更にまた、給電部により給電される撮像手段の動作時間が長くなる電気機器を提供することを他の目的とする。
【課題を解決するための手段】
【００１８】
本発明に係る電気機器は、負荷に給電する給電手段とは異なる蓄電池を備える電気機器であって、前記蓄電池を充電する太陽電池と、該太陽電池及び前記蓄電池間を入／切するスイッチと、前記太陽電池の出力電圧を検出する検出手段と、該検出手段が検出した出力電圧に応じて、前記スイッチの入／切を制御する制御手段とを備えることを特徴とする。
【００１９】
本発明にあっては、制御手段が、太陽電池の出力電圧に応じてスイッチの入／切を制御し、太陽電池及び蓄電池の接続を制御する。そして、太陽電池及び蓄電池が接続された場合、太陽電池により蓄電池は充電される。従って、太陽電池の出力電圧に応じて、太陽電池による蓄電池の充電を制御することができる。また、主電源用の電源用電池により蓄電池を充電するための充電回路が不要となる。
【００２０】
本発明に係る電気機器は、前記制御手段が、前記検出手段により検出した出力電圧が所定電圧以上の場合、前記スイッチを入にする手段を備えることを特徴とする。
【００２１】
本発明にあっては、太陽電池の出力電圧が所定電圧以上の場合、制御手段が、スイッチを入にし、所定電圧未満の場合、スイッチを切にする。従って、蓄電池が劣化する恐れのない出力電圧を太陽電池が有している場合、蓄電池は太陽電池により充電され、蓄電池の劣化を招く出力電圧を太陽電池が有している場合、蓄電池は太陽電池により充電されない。
【００２２】
本発明に係る電気機器は、前記スイッチが常開型であることを特徴とする。
【００２３】
本発明にあっては、スイッチは常開型であるため、給電手段からの給電の停止、制御部の故障等の原因により制御部の切換制御が停止した場合、スイッチは切となる。従って、蓄電池の劣化を招く出力電圧を太陽電池が有している場合であって、制御部がスイッチの入／切を制御できないとき、蓄電池は充電されず、劣化しない。
【００２４】
本発明に係る電気機器は、前記蓄電池から給電されて動作する計時手段と、該計時手段に、前記太陽電池又は前記蓄電池を選択的に接続する切換スイッチと、前記スイッチが入の場合、前記計時手段及び前記太陽電池が接続され、前記スイッチが切の場合、前記計時手段及び前記蓄電池が接続されるように、前記切換スイッチを切り換える手段とを備えることを特徴とする。
【００２５】
本発明にあっては、太陽電池及び蓄電池が接続された場合、計時手段及び太陽電池も接続される。従って、蓄電池が太陽電池により充電されている場合、計時手段は太陽電池からの給電により動作し、蓄電池は放電しない。
【００２６】
本発明に係る電気機器は、前記蓄電池から給電されて動作する計時手段を備え、前記制御手段は、前記計時手段が計時した計時結果に応じて、前記スイッチの入／切を制御する手段を備えることを特徴とする。
【００２７】
本発明にあっては、計時手段の消費電力は、太陽電池により充電される電力に比べて小さいため、太陽電池により蓄電池は過充電される恐れがあるが、制御部は、計時手段の計時結果に応じてスイッチの入／切を制御することにより、蓄電池の充電を制御する。従って、太陽電池の消費電力に応じて蓄電池を充電し、太陽電池による蓄電池の過充電を防ぐことができる。
【００２８】
本発明に係る電気機器は、負荷に給電する給電手段とは異なる蓄電池と、該蓄電池から給電されて動作する計時手段とを備える電気機器であって、前記蓄電池を充電する太陽電池と、該太陽電池及び前記蓄電池間を入／切するスイッチと、前記計時手段が計時した計時結果に応じて、前記スイッチの入／切を制御する手段とを備えることを特徴とする。
【００２９】
本発明にあっては、計時手段による計時結果に応じてスイッチの入／切を制御部が制御することにより、蓄電池の充電を制御する。従って、太陽電池の消費電力に応じて蓄電池を充電し、太陽電池による過充電を防ぐことができる。
【００３０】
本発明に係る電気機器は、前記計時手段に、前記太陽電池又は前記蓄電池を選択的に接続する切換スイッチと、前記スイッチが入の場合、前記計時手段及び前記太陽電池が接続され、前記スイッチが切の場合、前記計時手段及び前記蓄電池が接続されるように、前記切換スイッチを切り換える手段とを備えることを特徴とする。
【００３１】
本発明にあっては、太陽電池及び蓄電池が接続された場合、計時手段及び太陽電池が接続される。従って、蓄電池が太陽電池により充電されている場合、計時手段は太陽電池からの給電により動作し、蓄電池は放電しない。
【００３２】
本発明に係る電気機器は、前記負荷が撮像手段であることを特徴とする。
【００３３】
本発明にあっては、撮像手段に給電する給電手段の電力を使用することなく、太陽電池により蓄電池を充電する。
【発明の効果】
【００３４】
本発明に係る電気機器によれば、充電回路を備える電気機器に比してより簡単な構成で、蓄電池を充電することができる。
【００３５】
本発明に係る電気機器によれば、蓄電池が劣化しない電圧で蓄電池を充電することができる。
【００３６】
本発明に係る電気機器によれば、制御部が停止した場合に、蓄電池の劣化を招く電圧で蓄電池が充電されることを防ぐことができる。
【００３７】
本発明に係る電気機器によれば、蓄電池の不要な充放電を抑え、蓄電池の劣化を防ぐことができる。
【００３８】
本発明に係る電気機器によれば、簡単な構成で、過充電による蓄電池の劣化を防ぐことが出来る。
【００３９】
本発明に係る電気機器によれば、太陽電池の出力電圧を検出する構成に比してより簡単な構成で、蓄電池を充電することができ、また過充電による蓄電池の劣化を防ぐことができる。
【００４０】
本発明に係る電気機器によれば、蓄電池の不要な充放電を抑え、蓄電池の劣化を防ぐことができる。
【００４１】
本発明に係る電気機器によれば、給電手段から給電される撮像手段の動作時間が長くなる。
【発明を実施するための最良の形態】
【００４２】
以下に、本発明をその実施の形態を示す図面に基づいて詳述する。
【００４３】
（実施の形態１）
図１は、実施の形態１に係る撮像装置の回路構成を示すブロック図、図２は、撮像装置の略示斜視図である。撮像装置は、電気機器の一例である。図中１は、リチウムイオン蓄電池、ニッケル・カドミウム蓄電池、ニッケル水素蓄電池等の蓄電池であり、蓄電池１の陰極は、接地されている。蓄電池１の陽極には、逆流防止用のダイオード２が逆方向に接続されており、ダイオード２のアノードは、常開型のスイッチ３の一方の端子３ａに接続されている。スイッチ３の他方の端子３ｂは、直列接続された複数の光電変換素子からなる太陽電池４の陽極に接続されており、太陽電池４の陰極は接地されている。
【００４４】
また、蓄電池１の陽極は、切換スイッチ５の第１切換端子５ａに接続されており、切換スイッチ５の共通端子５ｃは、計時部６の電源端子に接続されている。計時部６は、水晶発信部６ａを備えており、水晶発信部６ａから発信されるパルスに基づいて計時する。切換スイッチ５の第２切換端子５ｂは、太陽電池４の陽極に接続されている。また、切換スイッチ５及びスイッチ３は連動するように構成されており、スイッチ３が入の場合、切換スイッチ５は第２切換端子５ｂ側に切り換わり、スイッチ３が切の場合、切換スイッチ５は第１切換端子５ａ側に切り換わる。つまり、スイッチ３が入の場合、太陽電池４と蓄電池１及び計時部６とが接続され、スイッチ３が切の場合、蓄電池１と計時部６とが接続される。
【００４５】
スイッチ３の入／切の制御は、制御部７により行われる。制御部７は、ＣＰＵ、入出力装置等を内蔵したワンチップのマイクロコンピュータを用いて構成されており、制御用の一定のパルスを発信する水晶発信部７ａが接続されている。制御部７の入出力端子には、電気抵抗Ｒ１を通じて太陽電池４の陽極が接続されている。また、制御部７の他の入出力端子は、スイッチ３の入／切、又は切換スイッチ５の切り換えを行う図示しない励磁コイルに接続されている。制御部７から励磁コイルに励磁電圧が印加された場合、スイッチ３は入の状態になり、制御部７から励磁コイルに励磁電圧が印加されない場合、スイッチ３は切の状態になる。
【００４６】
制御部７の電源端子は、給電部８の第１出力端子に接続されている。給電部８はＤＣ／ＤＣコンバータを用いてなり、給電部８の入力端子には、着脱自在に装着された電源用電池Ａの陽極が接続されており、電源用電池Ａの陰極は接地されるように構成されている。制御部７は、給電部８を通じて電源用電池Ａから給電されて動作する。
【００４７】
電源用電池Ａの陽極は、直列接続された電気抵抗Ｒ２及び電気抵抗Ｒ３を通じて接地されている。電気抵抗Ｒ２及び電気抵抗Ｒ３間の導線は、制御部７に分岐接続されており、制御部７は、電気抵抗Ｒ２及び電気抵抗Ｒ３間の導線の電圧を検出し、検出結果、出力電流等に基づいて電源用電池Ａの残量を判定することができる。
【００４８】
給電部８の第２出力端子は、撮像手段９の電源端子に接続されており、撮像手段９は、給電部８を通じて電源用電池Ａから給電される。撮像手段９は、図２に示すように、レンズ９ｂ及び撮像素子９ｃを備えている。レンズ９ｂは、略直方体の筐体９ａの正面に設けられており、レンズ９ｂの後方に撮像素子９ｃが配置されている。撮像素子９ｃは、例えばＣＣＤであり、レンズ９ｂにより結像した像をアナログの信号に光電変換する。
【００４９】
また、撮像手段９は、筐体９ａ内部に、ＡＤ変換部、信号処理部、及び記録再生部を備えている。ＡＤ変換部は、光電変換された信号をデジタルの画像データにＡＤ変換し、ＡＤ変換した画像データを信号処理部へ出力する。信号処理部は、例えばＤＳＰ（Ｄｉｇｉｔａｌ  Ｓｉｇｎａｌ  Ｐｒｏｃｅｓｓｏｒ）を用いてなり、ＡＤ変換された画像データをＪＰＥＧ、ＭＰＥＧ、又はＭｏｔｉｏｎＪＰＥＧ等の圧縮伸張方式で圧縮し、圧縮した画像データを記録再生部へ出力する。記録再生部は、信号処理部から出力された画像データを、磁気テープ又は半導体メモリ等の記録媒体に記録する。また、記録再生部は、計時部６が計時した計時結果、例えば、時刻、月日、西暦等を画像データと共に記録する機能を有している。
【００５０】
正面視で筐体９ａの上面には撮像ボタン９ｄ、筐体９ａの右側面には電源スイッチ９ｅが設けられている。撮像ボタン９ｄ及び電源スイッチ９ｅの操作状態は、制御部７により検出され、制御部７は検出結果に応じて撮像手段９による撮像を制御する。
【００５１】
図３は、スイッチ３及び切換スイッチ５の切り換えに係る制御部７の処理手順を示すフローチャートである。電源用電池Ａが装着された場合、図示しないリセットＩＣからリセット信号が制御部７に出力される。リセット信号が出力された場合、制御部７は、電源スイッチ９ｅの操作状態を検出し、電源スイッチ９ｅがオンの状態にあるか否かを判定する（ステップＳ１）。電源スイッチ９ｅがオンの状態にあると判定した場合（ステップＳ１：ＹＥＳ）、制御部７は、給電部８を通じて電源用電池Ａから撮像手段９に給電する（ステップＳ２）。電源スイッチ９ｅがオンの状態にないと判定した場合（ステップＳ１：ＮＯ）、制御部７は、給電部８を通じた電源用電池Ａから撮像手段９への給電を停止する（ステップＳ３）。
【００５２】
ステップＳ２の処理を終えた場合、制御部７は、撮像ボタン９ｄの操作状態を検出し、撮像ボタン９ｄがオンの状態にあるか否かを判定する（ステップＳ４）。撮像ボタン９ｄがオンの状態にあると判定した場合（ステップＳ４：ＹＥＳ）、制御部７は、撮像及び記録に係る処理を実行する（ステップＳ５）。
【００５３】
ステップＳ５若しくはステップＳ３の処理を終えた場合、又はステップＳ４において撮像ボタン９ｄがオンの状態にないと判定した場合（ステップＳ４：ＮＯ）、制御部７は、太陽電池４の出力電圧を検出し、検出した出力電圧が所定電圧以上、例えば４．２Ｖ以上であるか否かを判定する（ステップＳ６）。
【００５４】
出力電圧が所定電圧以上であると判定した場合（ステップＳ６：ＹＥＳ）、制御部７は、スイッチ３を入に、切換スイッチ５を第２切換端子５ｂ側に切り換える（ステップＳ７）。スイッチ３が入の場合、蓄電池１は太陽電池４により充電され、切換スイッチ５が
第２切換端子５ｂ側に切り換えられた場合、計時部６は太陽電池４により給電されて動作する。
【００５５】
出力電圧が所定電圧以上でないと判定した場合（ステップＳ６：ＮＯ）、制御部７は、スイッチ３を切に、切換スイッチ５を第１切換端子５ａ側に切り換える（ステップＳ８）。スイッチ３が切の場合、蓄電池１の充電は行われず、切換スイッチ５が第１切換端子５ａ側に切り換えられた場合、計時部６は蓄電池１により給電されて動作する。
【００５６】
ステップＳ７又はステップＳ８の処理を終えた場合、制御部７は、処理をステップＳ１へ戻す。
【００５７】
電源用電池Ａが取り外された場合、給電部８から制御部７への給電が停止し、制御部７の動作も停止する。スイッチ３及び切換スイッチ５の切り換えが制御部７により制御されない場合、スイッチ３は切に、切換スイッチ５は第１切換端子５ａ側に切り換わる。従って、電源用電池Ａが装着されていない場合、計時部６は蓄電池１により給電されて動作する。
【００５８】
実施の形態１に係る撮像装置にあっては、計時部６に給電する蓄電池１を太陽電池４により充電するため、充電回路が不要になり、より簡単な構成で蓄電池１を充電することができる。
【００５９】
また、太陽電池４により蓄電池１を充電するため、撮像手段９の動作時間が長くなる。
【００６０】
更に、蓄電池１の劣化の恐れのない出力電圧を太陽電池４が有している場合、スイッチ３を入にして蓄電池１を充電するため、蓄電池１の劣化を防止して、蓄電池１を充電することができる。
【００６１】
更にまた、太陽電池４により蓄電池１を充電する場合、計時部６は太陽電池４から給電されて動作する。従って、不要な充放電による蓄電池１の劣化を防止することができる。
【００６２】
なお、実施の形態１にあっては、撮像手段を負荷とする電気機器の一例を示したが、これに限らず他の電気機器、例えばビデオレコーダ、ＤＶＤレコーダ、ＰＤＡ（Ｐｅｒｓｏｎａｌ  Ｄｉｇｉｔａｌ  Ａｓｓｉｓｔａｎｔｓ）又は時刻表示機能付き液晶表示装置等に本発明を適用しても良い。
【００６３】
また、切換スイッチを備え、計時部を蓄電池又は太陽電池に切り換えて接続するように構成しているが、切換スイッチを備えずに計時部を蓄電池に接続するように構成しても良い。この場合、撮像装置の回路構成がより簡単になる。
【００６４】
更に、スイッチ及び切換スイッチが連動するように構成されているが、制御部がスイッチ及び切換スイッチ夫々の切り換えを制御するように構成しても良い。
更にまた、太陽電池の出力電圧が所定電圧以上の場合、スイッチを入にするように構成してあるが、太陽電池の出力電圧が第1所定電圧以上、第２所定電圧未満の場合、スイッチを入にするように構成しても良い。この場合、蓄電池の劣化を招かない、より適切な電圧で蓄電池を充電することができる。
【００６５】
更にまた、実施の形態１にあっては、太陽電池の出力電圧に応じてスイッチの切り換えを制御しているが、更に計時部の計時結果に応じてスイッチの切り換えを制御するように構成しても良い。例えば、午前の間は、太陽電池の出力電圧に関わらずスイッチを切にするように構成しても良い。この場合、簡単な構成で蓄電池の過充電を防ぐことができる。また、太陽電池の出力電圧が所定電圧以上である時間を計時部により計時し、計時結果に応じて、蓄電池が過充電されないようにスイッチの入／切を制御するように構成しても良い。
【００６６】
（実施の形態２）
図４は、実施の形態２に係る撮像装置の回路構成を示すブロック図である。実施の形態２に係る計時部１０６は、時刻に応じて所定の電圧で信号を出力する出力端子を備えており、スイッチ３の入／切、又は切換スイッチ５の切り換えを行う図示しない励磁コイルには、制御部１０７に代わり、計時部１０６の出力端子が接続されている。
【００６７】
計時部１０６は、午前６時から午後６時までの間は所定の電圧で信号を出力する。計時部１０６から信号が出力された場合、スイッチ３は入に、切換スイッチ５は第２切換端子５ｂ側に切り換わる。また、計時部１０６は、午後６時過ぎから午前６時前までの間は信号を出力しない。計時部１０６から信号が出力されない場合、スイッチ３は切に、切換スイッチ５は第１切換端子５ａ側に切り換わる。
【００６８】
計時部１０６及び制御部１０７以外の他の構成、作用及び効果は、実施の形態１の構成、作用及び効果と同様であるため、同様な箇所には同様の符号を付して詳細な説明を省略する。
【００６９】
実施の形態２に係る撮像装置にあっては、太陽電池４の出力電圧を検出することなく、時刻によって太陽電池４の出力電圧を推定し、太陽電池４による蓄電池１の充電を入／切する。従って、実施の形態１に係る撮像装置に比して、制御部１０７の処理手順が簡単になる。
【００７０】
（実施の形態３）
図５は、実施の形態３に係る撮像装置の回路構成を示すブロック図である。実施の形態３に係る撮像装置は、蓄電池１を備えており、蓄電池１の陰極は接地されている。蓄電池１の陽極は、スイッチ２０３の一方の端子２０３ａに接続されており、スイッチ２０３の他方の端子２０３ｂは、太陽電池４の陽極に接続されている。太陽電池４の陰極は接地されている。また、一方の端子２０３ａは計時部２０６の電源端子に接続されている。
【００７１】
計時部２０６は、時刻に応じて所定の電圧で信号を出力する出力端子を備えており、スイッチ２０３を入／切する図示しない励磁コイルには、計時部２０６の出力端子が接続されている。
【００７２】
計時部２０６は、午前６時から午後６時までの間は所定の電圧で信号を出力し、午後６時過ぎから午前６時前までの間は信号を出力しない。計時部２０６から信号が出力された場合、スイッチ２０３は入になり、計時部２０６から信号が出力されない場合、スイッチ２０３は切になる。
【００７３】
計時部２０６及び制御部２０７以外の他の構成、作用及び効果は、実施の形態１の構成、作用及び効果と同様であるため、同様な箇所には同様の符号を付して詳細な説明を省略する。
【００７４】
実施の形態３に係る撮像装置にあっては、太陽電池４の出力電圧を検出して充電を制御する場合に比べ、より簡単な構成で蓄電池１を充電することができる。
【００７５】
また、計時部２０６から出力される信号によりスイッチ２０３を切り換えるため、電源用電池Ａが取り外され、制御部２０７の動作が停止した場合であっても、時刻に応じてスイッチ２０３が切り換えられる。従って、電源用電池Ａが取り外された場合であっても、蓄電池１を充電することができる。
【図面の簡単な説明】
【００７６】
【図１】実施の形態１に係る撮像装置の回路構成を示すブロック図である。
【図２】撮像装置の略示斜視図である。
【図３】スイッチ及び切換スイッチの切り換えに係る制御部の処理手順を示すフローチャートである。
【図４】実施の形態２に係る撮像装置の回路構成を示すブロック図である。
【図５】実施の形態３に係る撮像装置の回路構成を示すブロック図である。
【図６】従来の撮像装置の回路構成を示すブロック図である。
【符号の説明】
【００７７】
１  蓄電池
２  ダイオード
３  スイッチ
４  太陽電池
５  切換スイッチ
６  計時部
７  制御部
８  給電部
９  撮像手段
【図１】
2006114849.tif 000003
【図２】
2006114849.tif 000004
【図３】
2006114849.tif 000005
【図４】
2006114849.tif 000006
【図５】
2006114849.tif 000007
【図６】
2006114849.tif 000008